(57)【要約】【課題】リテーナの抜けを抑制することが可能なコネクタを提供する。【解決手段】本発明のコネクタにおいて、カバー４は、筐体本体３の外周面３１に形成された保持穴３ａの開口の一部を覆う覆板部４１を有し、リテーナ５は、覆板部４１に対応する凹部５ａを有し、覆板部４１は、凹部５ａの底面５２１と対向する対向面４１２を有する。【選択図】図５
2015072868.tif 000002
【特許請求の範囲】
【請求項１】
一方向に貫通し、片方の側から端子が挿入される複数の端子穴と、前記一方向に対する側面に開口を有し、前記開口から前記一方向と交差する方向に延び、前記複数の端子穴に連通する保持穴と、が形成された筐体本体と、
前記保持穴に挿入され、前記複数の端子穴に挿入された前記複数の端子と係合するリテーナと、
前記筐体本体の前記一方向の他方の側に取り付けられ、前記複数の端子穴に対応する複数の端子穴が形成されたカバーと、
を備え、
前記カバーは、前記開口の一部を覆う覆板部を有し、
前記リテーナは、前記覆板部に対応する凹部を有し、
前記覆板部は、前記凹部の底面と対向する対向面を有する、
ことを特徴とするコネクタ。
【請求項２】
前記覆板部は、前記筐体本体の側面と当接する当接面をさらに有し、
前記対向面と前記当接面とが同一平面にある、
請求項１に記載のコネクタ。
【請求項３】
前記リテーナが前記保持穴に挿入され、前記端子穴に挿入された前記端子と係合するとき、前記リテーナの挿入方向における前記凹部の底面の位置が、前記端子穴よりも前記開口に近い、
請求項１に記載のコネクタ。
【請求項４】
前記覆板部は、切り欠き部分を有さない、
請求項１に記載のコネクタ。
【請求項５】
前記筐体本体の側面のうち、前記開口が形成される側とは反対側が、平面状に形成される、
請求項１に記載のコネクタ。
【発明の詳細な説明】
【技術分野】
【０００１】
本発明は、コネクタに関し、特には筐体の形状に関する。
【背景技術】
【０００２】
特許文献１には、筐体本体の側面から挿入されるリテーナによって、筐体本体の内側にある端子が係止されるコネクタが開示されている。
【先行技術文献】
【特許文献】
【０００３】
【特許文献１】特開２００１−７６８００号公報
【発明の概要】
【発明が解決しようとする課題】
【０００４】
ところで、上記コネクタでは、筐体本体からリテーナが抜け落ちるおそれがある。
【０００５】
本発明は、上記課題に鑑みてなされたものであって、その目的は、リテーナの抜けを抑制することが可能なコネクタを提供することにある。
【課題を解決するための手段】
【０００６】
上記課題を解決するため、本発明のコネクタは、一方向に貫通し、片方の側から端子が挿入される複数の端子穴と、前記一方向に対する側面に開口を有し、前記開口から前記一方向と交差する方向に延び、前記複数の端子穴に連通する保持穴と、が形成された筐体本体と、前記保持穴に挿入され、前記複数の端子穴に挿入された前記複数の端子と係合するリテーナと、前記筐体本体の前記一方向の他方の側に取り付けられ、前記複数の端子穴に対応する複数の端子穴が形成されたカバーと、を備え、前記カバーは、前記開口の一部を覆う覆板部を有し、前記リテーナは、前記覆板部に対応する凹部を有し、前記覆板部は、前記凹部の底面と対向する対向面を有する。
【０００７】
また、本発明の一態様では、前記覆板部は、前記筐体本体の側面と当接する当接面をさらに有し、前記対向面と前記当接面とが同一平面にある。
【０００８】
また、本発明の一態様では、前記リテーナが前記保持穴に挿入され、前記端子穴に挿入された前記端子と係合するとき、前記リテーナの挿入方向における前記凹部の底面の位置が、前記端子穴よりも前記開口に近い。
【０００９】
また、本発明の一態様では、前記覆板部は、切り欠き部分を有さない。
【００１０】
また、本発明の一態様では、前記筐体本体の側面のうち、前記開口が形成される側とは反対側が、平面状に形成される。
【発明の効果】
【００１１】
本発明によると、リテーナが抜出方向に移動するとき、カバーに設けられた覆板部の対向面と、リテーナに設けられた凹部の底面とが面接触するので、リテーナの抜けを抑制することが可能である。
【図面の簡単な説明】
【００１２】
【図１】本発明の一実施形態に係るコネクタの斜視図である。
【図２】同コネクタの分解斜視図である。
【図３】同コネクタの筐体の斜視図である。
【図４】図３のＩＶ−ＩＶ線の断面図である。
【図５】図３のＩＶ−ＩＶ線の断面図である。
【発明を実施するための形態】
【００１３】
本発明の実施形態を、図面を参照しながら説明する。
【００１４】
図１は、本発明の一実施形態に係るコネクタ１の斜視図である。図２は、コネクタ１の分解斜視図である。図１と図２では、上下が反転している。図３は、筐体２の斜視図である。図４及び図５は、図３のＩＶ−ＩＶ線の断面図であり、リテーナ５の押し込み前後の状態を示している。図中の矢印Ｉは、不図示の相手方コネクタに対するコネクタ１の挿入方向を示す。以下の説明では、挿入方向Ｉを前方向とし、その逆方向を後方向とする。
【００１５】
コネクタ１は、樹脂材料からなる筐体２を備えている。筐体２には、複数のケーブル９の先端部に取り付けられた複数の端子８が収納されている。筐体２は、前後方向を軸方向とする概略半円柱状に構成されている。筐体２は、複数の端子８が挿入される筐体本体３と、筐体本体３の前側に取り付けられるカバー４と、複数の端子８を係止するリテーナ５と、を備えている。
【００１６】
筐体本体３の前後方向を軸方向とするときの側面は、円周状の外周面３１と、平面状の平坦面３３と、を含んでいる。筐体本体３の平坦面３３には、不図示の相手方コネクタと係合するための爪状の係止片３５が設けられている。係止片３５は、平坦面３３の前端の幅方向の中央において平坦面３３から垂直方向に突出しており、前側にテーパー面を有している。
【００１７】
また、筐体本体３の平坦面３３には、筐体本体３とカバー４を互いに係合するための爪状の係止片３７が設けられている。係止片３７は、係止片３５を挟むように、平坦面３３の前端の幅方向の両側に設けられている。カバー４には、筐体本体３とカバー４を互いに係合するためのＵ字状の係止片４７が設けられている。係止片４７は、筐体本体３の係止片３７に対応する位置で後方向に突出している。
【００１８】
筐体本体３には、前後方向に貫通する複数の端子穴３ｂが形成されており、これらの端子穴３ｂには、後側から複数の端子８が挿入される。また、筐体本体３には、前後方向と直交する方向に延び、端子穴３ｂと連通する保持穴３ａが形成されている。筐体本体３の側面には、保持穴３ａの開口が形成されている。具体的には、保持穴３ａの開口は、筐体本体３の側面のうち、外周面３１の周方向の中央部、すなわち平坦面３３と反対側に形成されており、周方向に沿って広がった矩形状の形状を有している。
【００１９】
筐体本体３のうち、保持穴３ａの前方向には、前壁部３２が設けられている。前壁部３２の前面には、前方方向に向かって延びる複数の梁部３４が設けられており、梁部３４の前端部には、係止片３４１が設けられている。係止片３４１は、端子穴３ｂに挿入される端子８の前端部に設けられた穴部８ｂに係合する。また、前壁部３２のうち、外周面３１の周方向の中央部、すなわち平坦面３３と反対側には、後述するカバー４の覆板部４１と当接する当接面３２１が設けられている。
【００２０】
カバー４には、不図示の相手方コネクタの複数の端子が挿入される、前後方向に貫通した複数の端子穴４ａが形成されている。また、カバー４は、後方向に突出する板状の覆板部４１を有している。覆板部４１は、筐体本体３に形成された保持穴３ａの開口の一部を覆うように形成されている。覆板部４１については、後に詳しく述べる。
【００２１】
リテーナ５は、筐体本体３に形成された保持穴３ａの開口から内側へ挿入される。以下の説明では、リテーナ５の挿入方向（図２の一点鎖線矢印）を下方向とし、その反対方向を上方向とする。リテーナ５には、筐体本体３に挿入される複数の端子８の一部が挿入される、前後方向に貫通した複数の端子穴５ｂが形成されている。
【００２２】
また、リテーナ５の端子穴５ｂの上下方向には、端子８の後部に設けられた凹部８ａに嵌合する係合部５４が設けられている。リテーナ５に設けられた係合部５４が、筐体本体３の端子穴３ｂに挿入された端子８の凹部８ａに嵌まることによって、端子８が係止される。
【００２３】
また、リテーナ５の上端部の前半部分には、上方向かつ前方向に開放された、平面状の底面５２１を有する凹部５ａが形成されており、リテーナ５の上端部の後半部分には、リテーナ５を保持穴３ａに押し込む際に人の手によって押圧される被押圧部５１が設けられている。凹部５ａについては、後に詳しく述べる。
【００２４】
筐体本体３の保持穴３ａにリテーナ５が挿入され、筐体本体３の前側にカバー４が取り付けられることによって、図３及び図４に示す状態となる。その後、筐体本体３に端子８が挿入され、リテーナ５が下方向に押し込まれることによって、図５に示す状態となり（端子８の図示は省略）、端子８が係止される。なお、端子８の挿入は、カバー４の取り付け前であってもよい。
【００２５】
本実施形態では、図３〜図５に示されるように、カバー４に設けられた板状の覆板部４１が、筐体本体３に形成された保持穴３ａの開口の一部を覆うように配置されている。具体的には、覆板部４１は、保持穴３ａの開口の上端部の前半部分を覆っている。リテーナ５に形成された凹部５ａは、カバー４に設けられた覆板部４１に対応した形状を有している。具体的には、凹部５ａは、カバー４の覆板部４１が挿入されるように、カバー４の覆板部４１と上面視においてほぼ同形状である。
【００２６】
このように設けられた覆板部４１と凹部５ａでは、覆板部４１の下側の平面状の対向面４１２が、凹部５ａの平面状の底面５２１と対向している。これによると、リテーナ５が上方向に引っ張られたときに、覆板部４１の対向面４１２と凹部５ａの底面５２１とが面接触して、覆板部４１がリテーナ５に対して下方向の反力を作用させるので、リテーナ５の抜けを抑制することが可能である。
【００２７】
仮に、覆板部４１の対向面４１２に下方に突出する爪部などの突出形状が設けられている場合には、リテーナ５が上方向に引っ張られたときに、対向面４１２ではなく突出形状に凹部５ａの底面５２１が接触するので、リテーナ５に対して下方向の反力を作用させ難い上、リテーナ５の姿勢が歪み易くなり、その結果、リテーナ５が抜け易くなるおそれがある。
【００２８】
また、本実施形態では、覆板部４１の後半部に設けられた、凹部５ａの底面５２１と対向する対向面４１２と、覆板部４１の前半部に設けられた、筐体本体３の前壁部３２の当接面３２１と当接する当接面４１４と、が同一平面にある。これによると、筐体本体３の前側にカバー４を取り付ける際に、カバー４の覆板部４１が筐体本体３の前壁部３２の上端に引っ掛からないようにすることが可能である。
【００２９】
仮に、覆板部４１の対向面４１２に下方に突出する爪部などの突出形状が設けられている場合には、筐体本体３の前側にカバー４を取り付ける際に、突出形状が筐体本体３の前壁部３２の上端に引っ掛かる。このため、突出形状が前壁部３２を乗り越えるように、覆板部４１を弾性変形させ易くするための工夫（例えば、覆板部４１の一部を切り欠く等）が必要となる。しかし、覆板部４１を弾性変形させ易くすると、覆板部４１がリテーナ５に対して下方向の反力を作用させ難くなってしまう。
【００３０】
また、本実施形態では、図５に示されるようにリテーナ５の保持穴３ａへの挿入が完了して、端子穴３ｂに挿入された端子８と係合するとき、凹部５ａの底面５２１は、端子穴３ｂよりも保持穴３ａの開口に近い側に位置する。これによると、端子８と係合するリテーナ５の係合部５４の上下方向の厚みが確保されるため、係合部５４の剛性が向上し、その結果、端子８の抜けを抑制する効果をより向上させることが可能である。なお、これに限らず、凹部５ａの底面５２１が、端子穴３ｂの上端よりも保持穴３ａの開口から遠い側に位置してもよい。
【００３１】
仮に、覆板部４１の対向面４１２に下方に突出する爪部などの突出形状が設けられている場合には、突出形状の下端と凹部５ａの底面５２１との間に、リテーナ５の押し込み量を確保するための空間を設ける必要があるため、凹部５ａの底面５２１を図５に示される位置よりも下方向にずらす必要がある。凹部５ａの底面５２１を下方向にずらすと、リテーナ５の係合部５４が薄くなるため、係合部５４の剛性が低下し、その結果、端子８の抜けを抑制する効果が低減してしまう。
【００３２】
また、本実施形態では、カバー４に設けられた覆板部４１は、スリット等の切り欠き部分を有さない。すなわち、カバー４の覆板部４１は、面内方向の全体にわたって連続しており、面内方向の全体にわたって一様な厚さを有している。これによると、カバー４の覆板部４１の剛性が確保されるため、覆板部４１がリテーナ５に作用させる反力を向上させることが可能である。
【００３３】
以上、本発明の実施形態について説明したが、本発明は上記実施形態に限定されるものではなく、種々の変形実施が当業者にとって可能であるのはもちろんである。
【符号の説明】
【００３４】
１  コネクタ、２  筐体、３  筐体本体、３ａ  保持穴、３ｂ  端子穴、３１  外周面、３２  前壁部、３２１  当接面、３３  平坦面、３４  梁部、３４１  係止片、３５，３７  係止片、４  カバー、４ａ  端子穴、４１  覆板部、４１２  対向面、４１４  当接面、４７  係止片、５  リテーナ、５ａ  凹部、５ｂ  端子穴、５１  被押圧部、５２１  底面、５４  係合部、８  端子、８ａ  凹部、８ｂ  穴部、９  ケーブル。
【図１】
2015072868.tif 000003
【図２】
2015072868.tif 000004
【図３】
2015072868.tif 000005
【図４】
2015072868.tif 000006
【図５】
2015072868.tif 000007